(57)【要約】【課題】測定対象面に対してより確実に平面部を面接触させやすくして、温度測定誤差の軽減および太陽電池モジュールの出力測定の誤差の軽減を図ることのできる温度測定装置を得ること。【解決手段】温度測定装置３１は、測定対象面に接触する平面部を有する温度測定部３２と、第１の軸３３を中心に温度測定部３２を回転自在に支持する第１支持部３８と、第１支持部３８を、測定対象面と略平行であって第１の軸３３と略垂直な第２の軸３６を中心に第１支持部３８を回転自在に支持する第２支持部３５と、第１支持部３８に対して、第２の軸３６を挟んで温度測定部３２の反対側となる位置に設けられ、測定対象面側に突出して、その突出量を調整可能とされた突出部３９と、を備える。【選択図】図８
2014011172.tif 000002
【特許請求の範囲】
【請求項１】
測定対象面に接触する平面部を有する温度測定部と、
第１の軸を中心に前記温度測定部を回転自在に支持する第１支持部と、
前記第１支持部を、前記測定対象面と略平行であって前記第１の軸と略垂直な第２の軸を中心に前記第１支持部を回転自在に支持する第２支持部と、
前記第１支持部に対して、前記第２の軸を挟んで前記温度測定部の反対側となる位置に設けられ、前記測定対象面側に突出して、その突出量を調整可能とされた突出部と、を備えることを特徴とする温度測定装置。
【請求項２】
前記測定対象面に前記平面部が押し付けられる方向に前記温度測定部を回転するように付勢する付勢部をさらに備えることを特徴とする請求項１に記載の温度測定装置。
【請求項３】
請求項１または２に記載の温度測定装置と、
太陽電池モジュールの受光面に光を照射する照射部と、を備え、
前記温度測定装置は、前記太陽電池モジュールの所定の面を前記測定対象面として、前記平面部を接触可能に設けられることを特徴とするＩＶシミュレータ。
【発明の詳細な説明】
【技術分野】
【０００１】
本発明は、太陽電池モジュールの出力を測定するＩＶシミュレータにおいてモジュールの温度を測定する温度測定装置およびそれを備えたＩＶシミュレータに関するものである。
【背景技術】
【０００２】
従来、太陽電池モジュールの出力測定を行うためにＩＶシミュレータ装置が用いられていた（例えば、特許文献１を参照）。太陽電池モジュールのIV特性を測定するIVシミュレータ装置は、太陽電池モジュールの受光面に疑似太陽光を照射して発電能力を測定する装置である。
【０００３】
ＩＶシミュレータ装置内には、出力を測定するときの太陽電池モジュールの温度を測定する温度測定装置が設置されている。ＩＶシミュレータ装置に用いられる温度測定装置には、非接触方式のものと、接触方式のものとがある。
【先行技術文献】
【特許文献】
【０００４】
【特許文献１】特開２００６−２１６６１９号公報
【発明の概要】
【発明が解決しようとする課題】
【０００５】
上記接触方式の温度測定装置は、例えば、測定対象物（太陽電池モジュール）に接触する接触部、接触部を太陽電池モジュールの面に近づける機構部、熱伝対、測定値を表示する表示部を備える。そして、測定対象物に接触する接触部には、測定対象面に対して面で接触するように平面部が設けられている。このような構成の温度測定装置では、測定対象面に対して平面部が点接触してしまった場合に、温度測定誤差が大きくなってしまうという問題がある。また、温度測定誤差が大きくなると、太陽電池モジュールの出力測定の誤差も大きくなってしまう場合がある。
【０００６】
本発明は、上記に鑑みてなされたものであって、測定対象面に対してより確実に平面部を面接触させやすくして、温度測定誤差の軽減および太陽電池モジュールの出力測定の誤差の軽減を図ることのできる温度測定装置を得ることを目的とする。
【課題を解決するための手段】
【０００７】
上述した課題を解決し、目的を達成するために、本発明は、測定対象面に接触する平面部を有する温度測定部と、第１の軸を中心に温度測定部を回転自在に支持する第１支持部と、第１支持部を、測定対象面と略平行であって第１の軸と略垂直な第２の軸を中心に第１支持部を回転自在に支持する第２支持部と、第１支持部に対して、第２の軸を挟んで温度測定部の反対側となる位置に設けられ、測定対象面側に突出して、その突出量を調整可能とされた突出部と、を備えることを特徴とする。
【発明の効果】
【０００８】
本発明によれば、測定対象面に対してより確実に平面部を面接触させることができ、温度測定誤差の軽減および太陽電池モジュールの出力測定の誤差の軽減を図ることができるという効果を奏する。
【図面の簡単な説明】
【０００９】
【図１】図１は、太陽電池モジュールを受光面側から見た図である。
【図２】図２は、太陽電池モジュールを裏面側から見た図である。
【図３】図３は、ＩＶシミュレータの正面図である。
【図４】図４は、ＩＶシミュレータの平面図である。
【図５】図５は、ＩＶシミュレータ上に設置された搬送装置の平面図である。
【図６】図６は、図５に示すＡ−Ａ線に沿った矢視断面図である。
【図７】図７は、図５に示すＢ−Ｂ線に沿った矢視断面図である。
【図８】図８は、温度測定装置の概略構成を示す側面図である。
【図９】図９は、温度測定装置の概略構成を示す正面図である。
【図１０】図１０は、温度測定装置の温度測定部が測定対象面から離れた状態を示す図である。
【図１１】図１１は、温度測定装置の温度測定部が測定対象面に押し付けられて接触した状態を示す図である。
【発明を実施するための形態】
【００１０】
以下に、本発明の実施の形態にかかる温度測定装置およびＩＶシミュレータを図面に基づいて詳細に説明する。なお、この実施の形態によりこの発明が限定されるものではない。
【００１１】
実施の形態１．
本実施の形態にかかる温度測定装置は、太陽電池モジュールの出力測定を行うＩＶシミュレータに設けられており、出力測定中の太陽電池モジュールの温度測定を行う。まず、出力および温度の測定対象となる太陽電池モジュールの構造を説明する。
【００１２】
図１は、太陽電池モジュール５０を受光面側から見た図である。図２は、太陽電池モジュール５０を裏面側から見た図である。太陽電池モジュール５０は、太陽電池素子１に導線２を半田付けして、複数枚数を１列に配列した太陽電池アレイを備える。この太陽電池アレイを並べて、接続導線３と半田付け接続を行ったものが、ガラスパネル４に配置される。
【００１３】
ガラスパネル４に配置された太陽電池素子１は、背面から封止樹脂フィルム７で密閉される。このとき、出力導線５，６を封止樹脂フィルム７から出しておき、出力端子ボックス８，９と半田付け接続を行う。太陽電池モジュールの電力は、出力端子ボックス８，９から延びる出力ケーブル１０−１、１０−２から得られる。
【００１４】
次に、太陽電池モジュール５０の出力を測定するＩＶシミュレータ６０の概要を説明する。図３は、ＩＶシミュレータ６０の正面図である。図４は、ＩＶシミュレータ６０の平面図である。ＩＶシミュレータ６０は、シミュレータ本体１１と計測部１２とを備える。
【００１５】
シミュレータ本体１１は、疑似太陽光を照射するランプ１３を内部に有し、反射板１４にて光を拡散させ、フィルタ１５を通過させて太陽光成分の波長に調整し、照射面１６より疑似太陽光を照射する装置である。ＩＶシミュレータ６０は、シミュレータ本体１１から照射された疑似太陽光を、測定対象となる太陽電池モジュール５０の受光面に照射し、計測部１２によって太陽電池モジュール５０の出力を測定し、Ｉ−Ｖ特性等を算出する。
【００１６】
次に、ＩＶシミュレータ６０からの照射光の照射位置まで太陽電池モジュール５０を搬送する搬送装置の概要を説明する。図５は、ＩＶシミュレータ６０上に設置された搬送装置７０の平面図である。図６は、図５に示すＡ−Ａ線に沿った矢視断面図である。図７は、図５に示すＢ−Ｂ線に沿った矢視断面図である。搬送装置７０は、ＩＶシミュレータ６０のシミュレータ本体１１の上方に取り付けられる。
【００１７】
モーター１７の動力は、モータープーリー１８によって駆動ベルト１９を介して駆動プーリー２０に伝達される。駆動プーリー２０はボールスプライン２１を介して搬送プーリー２２に動力を伝達する。搬送プーリー２２は、搬送ベルト２３を移動させて太陽電池モジュール５０を疑似太陽光の照射位置に搬送する。搬送ベルト２３はリング状になっており、搬送プーリー２２と復路プーリー２６とテンションプーリー２５からなる経路をとおり一巡する。搬送ベルト２３は、シミュレータ本体１１上に設置された搬送装置フレーム２７と、太陽電池モジュール搬送ガイド２８、搬送ベルト往路ガイド２９、搬送ベルト復路ガイド３０によって規制された経路を通過する。
【００１８】
次に、温度測定装置３１（図６も参照）の概要について説明する。図８は、温度測定装置３１の概略構成を示す側面図である。図９は、温度測定装置３１の概略構成を示す正面図である。温度測定装置３１は、温度測定部３２、第１支持部３８、第２支持部３５を備える。
【００１９】
温度測定部３２は、平面部３２ａを有する。温度測定部３２は、平面部３２ａが太陽電池モジュール５０の所定の面、例えば受光面の反対面である裏面に接触することで、太陽電池モジュール５０の温度を測定する。この場合、太陽電池モジュール５０の裏面が、温度測定を行う測定対象面となる。
【００２０】
温度測定部３２は、第１支持部３８に対して、Ｘ軸（第１の軸）３３を中心に回転可能に支持される。第１支持部３８は、第２支持部３５に対して、Ｙ軸（第２の軸）３６を中心に回転可能に支持される。Ｙ軸３６は、測定対象面（太陽電池モジュール５０の裏面）に対して略平行な軸となるように設けられる。Ｘ軸３３は、Ｙ軸３６に対して略垂直な軸となるように設けられる。温度測定装置３１には、平面部３２ａが測定対象面に押し付けられる方向に温度測定部３２が回転するように押えばね（付勢部）３４が設けられる。
【００２１】
第１支持部３８に対して、Ｙ軸３６を挟んだ反対側となる位置には、Ｙ軸ストッパーシャフト（突出部）３９が設けられている。Ｙ軸ストッパーシャフト３９は、第１支持部３８に形成された孔に貫通された棒状部材であり、第１支持部３８から測定対象面側に突出している。また、ストッパー用カラー４０を回転させることで、Ｙ軸ストッパーシャフト３９の突出量Ｐを調整することができる。具体的には、Ｙ軸ストッパーシャフト３９に外ネジが形成されており、ストッパー用カラー４０としてナットを用いることで上記構成を実現できる。
【００２２】
温度測定装置３１は、図６に示すように、温度測定部３２を太陽電池モジュール５０の測定対象面に接触させられるように、ＩＶシミュレータ６０に設けられる。図１０は、温度測定装置３１の温度測定部３２が測定対象面から離れた状態を示す図である。図１１は、温度測定装置３１の温度測定部３２が測定対象面に押し付けられて接触した状態を示す図である。
【００２３】
以上説明したように、温度測定部３２がＸ軸３３とＹ軸３６を中心に回転可能とされることで、図１０，１１に示すように、より確実に温度測定部３２の平面部３２ａを測定対象面に面接触させることができる。例えば、温度測定部３２の製造誤差や取り付け誤差により、平面部３２ａに傾きなどがあった場合にも、Ｘ軸３３に加えてＹ軸３６も中心に回転するので、上述したような傾きに関わらず、温度測定部３２を測定対象面に面接触させやすくなる。これにより、温度測定の誤差の軽減、ひいては太陽電池モジュール５０の出力測定の誤差の軽減を図ることができる。
【００２４】
また、Ｙ軸ストッパーシャフト３９が設けられているので、平面部３２ａが面接触できる適切な位置でＹ軸周りの回転が停止するようにできる。また、Ｙ軸ストッパーシャフト３９は突出量Ｐを調整可能なので、温度測定部３２を交換した場合にも、新しく取り付けられた温度測定部３２のサイズ等の個体差に合わせて、Ｙ軸ストッパーシャフト３９の突出量Ｐを調整することで、より確実に測定対象面に温度測定部３２を面接触させることができる。
【産業上の利用可能性】
【００２５】
以上のように、本発明にかかる温度測定装置は、温度測定部を面接触させて温度を測定するのに有用であり、特に、ＩＶシミュレータにおいて太陽電池モジュールの温度を測定するのに適している。
【符号の説明】
【００２６】
１  太陽電池素子
２  導線
３  接続導線
４  ガラスパネル
５，６  出力導線
７  封止樹脂フィルム
８，９  出力端子ボックス
１０  出力ケーブル
１１  シミュレータ本体
１２  計測部
１３  ランプ
１４  反射板
１５  フィルタ
１６  照射面
１７  モーター
１８  モータープーリー
１９  駆動ベルト
２０  駆動プーリー
２１  ボールスプライン
２２  搬送プーリー
２３  搬送ベルト
２５  テンションプーリー
２６  復路プーリー
２７  搬送装置フレーム
２８  太陽電池モジュール搬送ガイド
２９  搬送ベルト往路ガイド
３０  搬送ベルト復路ガイド
３１  温度測定装置
３２  温度測定部
３２ａ  平面部
３３  Ｘ軸（第１の軸）
３４  押えばね（付勢部）
３５  第２支持部
３６  Ｙ軸（第２の軸）
３８  第１支持部
３９  Ｙ軸ストッパーシャフト（突出部）
４０  ストッパー用カラー
５０  太陽電池モジュール
６０  ＩＶシミュレータ
７０  搬送装置
Ｐ  突出量
【図１】
2014011172.tif 000003
【図２】
2014011172.tif 000004
【図３】
2014011172.tif 000005
【図４】
2014011172.tif 000006
【図５】
2014011172.tif 000007
【図６】
2014011172.tif 000008
【図７】
2014011172.tif 000009
【図８】
2014011172.tif 000010
【図９】
2014011172.tif 000011
【図１０】
2014011172.tif 000012
【図１１】
2014011172.tif 000013